(57)【特許請求の範囲】
【請求項１】
ヒューズの頭部に係止する係止爪が下端部で対向し、ヒューズの頭部に当接してヒューズの相対的な移動を規制するリブが前記係止爪よりも上方で対向している一対の挟持片を連結片によって開閉自在に連結したヒューズ引き抜き治具と、このヒューズ引き抜き治具が挿入されるホルダ孔を有し、ヒューズ引き抜き治具がホルダ孔内に挿入されることによりヒュ−ズ引き抜き治具を起立状態で支持するヒューズブロックとを備え、
前記連結片近辺に延びて前記一対の挟持片の間に侵入する支持壁を前記ホルダ孔内に設け、この支持壁の上端部に、前記リブを押し広げながら摺動してリブの間から抜け出るヘッド部を形成すると共に、支持壁の両面に、前記係止爪が把持してヒューズ引き抜き治具の起立状態を保持する係止爪把持部を形成したことを特徴とするヒューズ引き抜き治具の係止構造。
【請求項２】
請求項１記載のヒューズ引き抜き治具の係止構造であって、前記ヒューズ引き抜き治具が、前記ヒューズブロックに係止されていない状態において、前記一対の挟持片で対向している係止爪の間隔が前記係止爪把持部の厚さよりも小さくなっていることを特徴とするヒューズ引き抜き治具の係止構造。
【請求項３】
請求項１又は２記載のヒューズ引き抜き治具の係止構造であって、前記リブが両側から嵌まり込むことによりリブによって挟持されるリブ嵌合溝部を前記支持壁のヘッド部の下側に形成したことを特徴とするヒューズ引き抜き治具の係止構造。
【請求項４】
請求項１〜３のいずれかに記載のヒューズ引き抜き治具の係止構造であって、前記支持壁は、上端部のヘッド部が前記リブの間から抜け出ると同時に前記係止爪が係止爪把持部を把持する長さとなっていることを特徴とするヒューズ引き抜き治具の係止構造。
【請求項５】
請求項４記載のヒューズ引き抜き治具の係止構造であって、前記ヘッド部が前記リブの間から抜け出たとき、リブの上端部がヘッド部の底部に係止することを特徴とするヒューズ引き抜き治具の係止構造。
【請求項６】
請求項３記載のヒューズ引き抜き治具の係止構造であって、前記係止爪把持部を前記リブ嵌合溝部の幅方向の両側に連設したことを特徴とするヒューズ引き抜き治具の係止構造。
【発明の詳細な説明】
【０００１】
【発明の属する技術分野】
本発明は、ヒューズ引き抜き治具をヒューズブロックに着脱自在に取り付けるためのヒューズ引き抜き治具の係止構造に関する。
【０００２】
【従来の技術】
自動車用に用いられているブレード型ヒューズなどのヒューズを車載のヒューズボックスに装着したり、装着状態から引き抜く際にはヒューズ引き抜き治具が使用されている。このヒューズ引き抜き治具は、使用上便利とするためヒューズボックスに取り付けられるのが一般的であり、そのための係止構造が種々開発されている。
【０００３】
図９及び図１０は、実開昭５６−１６７４５３号公報に記載された従来の係止構造を示す。図９に示すように、ヒューズ引き抜き治具１は対向する一対の挟持片２，２と、一対の挟持片２，２の上部を連結する連結片９とを備えている。
【０００４】
一対の挟持片２，２の下端部には、図示を省略したブレード型ヒューズの頭部に係止する鈎型の係止爪３，３が対向するように形成されていると共に、係止爪３，３の上方には上下方向のリブ４，４が対向するように形成されている。係止片３，３はヒューズの頭部に係止することにより、ヒューズをヒューズブロック５から引き抜くものである。リブ４，４は係止爪３，３がヒューズの頭部を係止したとき、ヒューズの頭部に当接してヒューズの軸方向への移動を阻止するものであり、これにより、ヒューズをヒューズブロック５内に押し込んで装着することが可能となる。
【０００５】
このようなヒューズ引き抜き治具１を取り付けるため、ヒューズブロック５の上面には図１０に示すように、ヒューズ引き抜き治具１が挿入されるホルダ孔６が開口されている。このホルダ孔６内には、ホルダ孔６を左右に仕切る隔壁７が設けられていると共に、隔壁７の下部には係止片８が一体的に形成されている。
【０００６】
係止片８はホルダ孔６の底部近辺に位置すると共に矢尻状に形成されており、ヒューズ引き抜き治具１をホルダ孔６内に挿入することにより、ヒューズ引き抜き治具１下端部の係止爪３，３が係止片８の下面に両側から係止する。これにより、ヒューズ引き抜き治具１が抜け止め状態でホルダ孔６に取り付けられる。このとき、隔壁７は対向したリブ７の間に侵入してヒューズ引き抜き治具１の倒れを防止する。
【０００７】
【発明が解決しようとする課題】
しかしながら、上述した従来のヒューズ引き抜き治具の係止構造では、係止爪３，３が係止する係止片８がホルダ孔６の底部付近である奥側に位置しているため、係止したときの感触が鈍く、係止したか否かを感触で確認することができず、不安が残る。
【０００８】
又、係止爪３，３の係止片８への係止は、単なる引掛かりであり、ヒューズ引き抜き治具１の抜け防止が可能であっても、ヒューズ引き抜き治具１を確実に係止することができない。このためヒューズ引き抜き治具１ががたつき易く、振動等の外力が作用すると、引掛かり状態から簡単に外れてヒューズ引き抜き治具１がヒューズブロック５から抜け出る問題も有している。
【０００９】
そこで、本発明は、ヒューズ引き抜き治具を係止する際の感触を確認できると共に、がたつくことのない係止を行うことが可能なヒューズ引き抜き治具の係止構造を提供することを目的とする。
【００１０】
【課題を解決するための手段】
上記目的を達成するため、請求項１の発明は、ヒューズの頭部に係止する係止爪が下端部で対向し、ヒューズの頭部に当接してヒューズの相対的な移動を規制するリブが前記係止爪よりも上方で対向している一対の挟持片を連結片によって開閉自在に連結したヒューズ引き抜き治具と、このヒューズ引き抜き治具が挿入されるホルダ孔を有し、ヒューズ引き抜き治具がホルダ孔内に挿入されることによりヒュ−ズ引き抜き治具を起立状態で支持するヒューズブロックとを備え、前記連結片近辺に延びて前記一対の挟持片の間に侵入する支持壁を前記ホルダ孔内に設け、この支持壁の上端部に、前記リブを押し広げながら摺動してリブの間から抜け出るヘッド部を形成すると共に、支持壁の両面に、前記係止爪が把持してヒューズ引き抜き治具の起立状態を保持する係止爪把持部を形成したことを特徴とする。
【００１１】
この発明では、ヒューズ引き抜き治具をホルダ孔に押し込むことにより、ホルダ孔内の支持壁がヒューズ引き抜き治具の挟持片の間に侵入する。このとき、支持壁上端部のヘッド部は対応するリブを押し広げながら摺動する。
【００１２】
支持壁は挟持片を連結する連結片付近に延びており、ヒューズ引き抜き治具を押し込むことにより、支持壁上端部のヘッド部はリブの間を抜け出て連結片近辺に達する。一方、支持壁の係止爪把持部には係止爪が両側から把持し、この把持によってヒューズ引き抜き治具が支持壁に保持される。
【００１３】
このような構造では、係止爪が係止爪把持部を両側から把持することにより、ヒューズ引き抜き治具がヒューズブロックに係止されるため、単なる引掛かりではない把持力に基づいた係止状態となる。このため、がたつきのない係止ができ、外力などが作用してもヒューズ引き抜き治具が簡単に外れることがなくなる。又、係止爪が係止爪把持部を係止するのに対し、支持壁のヘッド部は連結片近辺に到達するため、係止の感触を手元で感じることができる。このため、係止する際の感触を確認することができる。
【００１４】
請求項２の発明は、請求項１記載の発明であって、前記ヒューズ引き抜き治具が、前記ヒューズブロックに係止されていない状態において、前記一対の挟持片で対向している係止爪の間隔が前記係止爪把持部の厚さよりも小さくなっていることを特徴とする。
【００１５】
この発明では、係止爪の間隔に対し係止爪把持部の厚さが大きいため、係止爪が係止爪把持部を両側から強固に把持することができ、安定した係止を行うことができる。
【００１６】
請求項３の発明は、請求項１又は２記載の発明であって、前記リブが両側から嵌まり込むことによりリブによって挟持されるリブ嵌合溝部を前記支持壁のヘッド部の下側に形成したことを特徴とする。
【００１７】
この発明では、リブがリブ嵌合溝部を挟持することにより、リブを介してヒューズ引き抜き治具が支持壁に支持される。従って、係止爪が係止爪把持部を把持する把持力に加えてリブの挟持力によってもヒューズ引き抜き治具が支持壁に固定されるため、さらに安定した係止を行うことができる。
【００１８】
請求項４の発明は、請求項１〜３のいずれかに記載の発明であって、前記支持壁は、上端部のヘッド部が前記リブの間から抜け出ると同時に前記係止爪が係止爪把持部を把持する長さとなっていることを特徴とする。
【００１９】
ヘッド部はリブを押し広げながらリブを摺動する。この発明では、ヘッド部がリブの間から抜け出ると同時に係止爪が係止爪把持部を把持するため、係止爪による係止爪把持部への把持と、ヘッド部によるリブの押し広げからの解除とが同期して行われる。そして、リブの押し広げの解除によってヒューズ引き抜き治具の挟持片が弾性的に元に復帰するため、係止の感触をクリック感のあるものとすることができ、係止を確実に確認することができる。
【００２０】
請求項５の発明は、請求項４記載の発明であって、前記ヘッド部が前記リブの間から抜け出たとき、リブの上端部がヘッド部の底部に係止することを特徴とする。
【００２１】
この発明では、リブの上端部がヘッド部の底部に係止することにより、ヒューズ引き抜き治具が支持壁の長さ方向に移動することがなく、支持壁から外れることが防止される。このため、ヒューズ引き抜き治具を確実に抜け止めすることができ、係止状態が安定する。
【００２２】
請求項６の発明は、請求項３記載の発明であって、前記係止爪把持部を前記リブ嵌合溝部の幅方向の両側に連設したことを特徴とする。
【００２３】
この発明では、係止爪把持部及びリブ嵌合溝部が横方向に連設されるため、これらを一体的に形成でき、支持壁を簡単な構造とすることができる。又、支持壁に剛性を付与することができ、支持壁が変形することがなくなる。
【００２４】
【発明の実施の形態】
図１〜図６は本発明のヒューズ引き抜き治具の係止構造の一実施形態を示し、ヒューズ引き抜き治具１１及びヒューズブロック１２とを備えている。
【００２５】
図１に示すように、ヒューズ引き抜き治具１１は縦長の扁平板状に成形された一対の挟持片１３，１３と、一対の挟持片１３，１３を連結する連結片１４とを備えており、全体が絶縁性樹脂によって成形されている。一対の挟持片１３，１３の対向面１３ａ、１３ａには、係止爪１５，１５とリブ１６，１６とが形成されている。
【００２６】
係止爪１５，１５はそれぞれの挟持片１３，１３の下端部で、間隔Ｇ（図１（ａ）参照）を有して対向するように設けられている。それぞれの係止爪１５，１５は鈎状に形成されており、図示を省略したブレード型ヒューズ（以下、ヒューズ）の頭部に側面から係止し、この係止によってヒューズを保持する。この保持状態でヒューズ引き抜き治具１１を上方に引き上げることにより、ヒューズをヒューズブロック１２から引き抜くことができる。なお、この実施形態において、各挟持片１３における係止爪１５は、図１（ｃ）で示すように挟持片１３の幅方向の両端部分に形成されており、この位置からヒューズの頭部に係止するようになっている。
【００２７】
リブ１６，１６は係止爪１５，１５の上方で対向するように、それぞれの挟持片１３，１３に突出状に形成されている。図１（ｃ）で示すように、それぞれのリブ１６，１６は下端部に横長状に設けられた基部１６ａと、基部１６ａから挟持片１３，１３の長さ方向に沿って延びたリブ部１６ｂとによって構成されている。
【００２８】
リブ１６の基部１６ａは、係止爪１５がヒューズの頭部を係止したときに、ヒューズの頭部に当接してヒューズの軸方向への移動を規制する。従って、この当接状態でヒューズをヒューズブロック１２内に押し込んで装着することができる。この実施形態において、基部１６ａは後述するように、ヒューズブロック１２の支持壁２０を挟持するようにも作用する。
【００２９】
リブ１６のリブ部１６ｂは基部１６ａから挟持片１３の長さ方向に延びることにより、挟持片１３に剛性を付与するものである。又、後述するようにリブ部１６ｂには支持壁２０のヘッド部２１が摺動する。
【００３０】
連結片１４は一対の挟持片１３，１３の上部の中間部分を連結している。連結片１４は下方に湾曲する円弧状に成形されており、円弧に沿って撓むことにより一対の挟持片１３，１３が円弧の中心を支点１７として開閉することができる。
【００３１】
なお、挟持片１３，１３における連結片１４よりも上方部分は、挟持片１３，１３の開閉操作を行うための操作部１８となっている。
【００３２】
ヒューズブロック１２は、ボックス状となっており（図１０参照）、複数のヒューズが装着されるヒューズ装着孔（図示省略）が形成されていると共に、図２に示すように、その一部にはヒューズ引き抜き治具１１が挿入されることにより、ヒューズ引き抜き治具１１を収納するホルダ孔２２が開設されている。
【００３３】
ホルダ孔２２の内部には図２（ｂ）で示すように、その底部から起立する支持壁２０が設けられている。支持壁２０は図２（ａ）及び（ｃ）で示すように、ホルダ孔２２の略中央部分でホルダ孔２２を左右に仕切るように設けられており、支持壁２０で仕切られた左右の孔は、ヒューズ引き抜き治具１１の挟持片１３，１３がそれぞれ挿入される挟持片挿入孔２３，２３となっている。
【００３４】
支持壁２０はホルダ孔２２に挿入されるヒューズ引き抜き治具１１の挟持片１３，１３の間に侵入するものであり、この侵入によってヒューズ引き抜き治具１１が係止し、この係止によって同治具１１を固定する。
【００３５】
この支持壁２０はホルダ孔２２の底部からホルダ孔２２上端の開口部まで延びる長さとなっており、これにより後述する図６で示すように、ホルダ孔２２に挿入されて係止されるヒューズ引き抜き治具１１の連結片１４近辺まで延びる長さとなっている。
【００３６】
ホルダ孔２２内で延びている支持壁２０の上端部には、矢尻形状のヘッド部２１が形成されている。このヘッド部２１はヒューズ引き抜き治具１１の一対のリブ１６，１６に接触しながら摺動し、この摺動によって一対のリブ１６，１６を押し広げるように作用する。
【００３７】
又、支持壁２０の両面には、ヒューズ引き抜き治具１１の係止爪１５，１５が両側から把持する係止爪把持部２４，２４が形成されている。係止爪把持部２４，２４は各挟持片１３，１３の幅方向の両端部分にそれぞれ形成された係止爪１５，１５（図１（ｃ）参照）に対応して形成されるものであり、このため図２（ｃ）で示すように、支持壁２０の両端部分に設けられている。
【００３８】
係止爪把持部２４，２４の厚さＴは、係止爪１３，１３の間隔Ｇよりも大きくなるように設定されている。このため、ヒューズ引き抜き治具１１をホルダ孔２２に押し込むことにより係止爪１３，１３が係止爪把持部２４，２４に達すると、係止爪把持部２４，２４によって幾分、離れるように係止爪１３，１３が弾性変形する。この弾性変形による弾性反力により係止爪１３，１３は係止爪把持部２４，２４を把持することができる。
【００３９】
両端部分の係止爪把持部２４，２４の間は、係止爪把持部２４，２４よりも板厚が小さくなっており、これにより、凹み状のリブ嵌合溝部２５が係止爪把持部２４，２４の間に一体的に形成されている。リブ嵌合溝部２５はヒューズ引き抜き治具１１のリブ１６における基部１６ａが嵌まり込み、この嵌まり込みによってリブ嵌合溝部２５が基部１６ａに挟持される。かかる嵌まり込みを行うため、リブ嵌合溝部２５はリブ１６の基部１６ａの幅と略同等の幅となっている。
【００４０】
このように係止爪把持部２４，２４がリブ嵌合溝部２５の両側に連設した構造では、これらを一体的に形成できるため、支持壁２０を簡単に形成することができる。又、係止爪把持部２４，２４及びリブ嵌合溝部２５によって、支持壁２０に凹凸が形成されるため、支持壁２０に剛性を付与することができ、支持壁２０が変形することなくなるメリットがある。
【００４１】
この実施形態において、支持壁２０の長さＬ及びリブ１６，１６の長さは以下のように設定される。すなわち、ヒューズ引き抜き治具１１をホルダ孔２２に押し込むと、支持壁２０が挟持片１３，１３の間に侵入するが、ヒューズ引き抜き治具１１を完全に押し込んだときは、図６に示すように、支持壁２０上端部のヘッド部２１がリブ１６，１６の間から抜け出る関係であると共に、リブ１６，１６から抜け出たヘッド部２１の底部２１ａにリブ１６，１６の上端部が係止する関係となるように設定されるものである。
【００４２】
又、支持壁２０自体の長さＬとしては、上端部のヘッド部２１がリブ１６，１６の間から抜け出た場合、このリブ１６，１６からの抜け出しと同時に係止爪１５，１５が係止爪把持部２４，２４を把持する長さとなるように設定されるものである。
【００４３】
次に、図３〜図６により、この実施形態の作動を説明する。
【００４４】
図３はヒューズ引き抜き治具１１をヒューズブロック１２のホルダ孔２２に押し込む以前の状態であり、挟持片１３，１３の間に支持壁２０が位置するように、すなわち挟持片１３，１３がそれぞれの挟持片挿入孔２３，２３に一致するようにヒューズ引き抜き治具１１をホルダ孔２２に臨ませる。
【００４５】
図４はヒューズ引き抜き治具１１をホルダ孔２２に押し込みによって挿入した当初の状態である。この状態では、支持壁２０上端部のヘッド部２１が係止爪１５，１５の間に侵入した後、拡大図で示すようにリブ１６の基部１６ａの下端角部に当接する。
【００４６】
図５はヒューズ引き抜き治具１１をさらに押し込んだ状態である。ヒューズ引き抜き治具１１が下方に移動する際には、支持壁２０が挟持片１３，１３の間に侵入すると共に、支持壁２０のヘッド部２１がリブ１６，１６を押し広げながらリブ部１６ｂ、１６ｂを摺動する。このようにリブ１６，１６がヘッド部２１によって押し広げられることにより、挟持片１３，１３は連結片１４の支点１７を中心にして外側方向に撓む
図６はヒューズ引き抜き治具１１を完全にホルダ孔２２内に押し込んだ状態である。ヒューズ引き抜き治具１１を完全に押し込むことにより、支持壁２０のヘッド部２１はリブ１６，１６の間から抜け出てリブ１６，１６への押し広げ力が解除する。従って、挟持片１３，１３は弾性によって元の状態に復元しようとする。又、このときには、支持壁２０のヘッド部２１はヒューズ引き抜き治具１１の連結片１４近辺に到達する。
【００４７】
かかるヘッド部２１の抜け出しと同時に、挟持片１３，１３の係止爪１５，１５は支持壁２０の係止爪把持部２４，２４に到達する。上述したように係止爪把持部２４，２４の厚さＴは係止爪１５，１５の間隔Ｇよりも大きいため、係止爪１５，１５は完全に元の状態に復元することができず、係止爪把持部２４，２４によって幾分、離れるように弾性変形した状態となる。この弾性変形による弾性反力により、係止爪１３，１３は図６（ｃ）で示すように係止爪把持部２４，２４を把持する。従って、係止爪把持部２４，２４を強固に把持することができ、ヒューズ引き抜き治具１１を起立状態で安定して保持することができる。
【００４８】
又、支持壁２０上端部のヘッド部２１がリブ１６，１６の間から抜け出ると、図６（ｂ）で示すように、リブ１６，１６の上端部がヘッド部２１の底部２１ａに当接した係止状態となる。従って、リブ１６，１６はヘッド部２１から外れることがなくなって、ヒューズ引き抜き治具１１が反押し込み方向に移動することがなく、ヒューズ引き抜き治具１１が抜け止め状態となる。
【００４９】
以上に加えて、挟持片１３，１３のリブ１６，１６はリブ嵌合溝部２５内に嵌まり込んでリブ嵌合溝部２５を挟持する。
【００５０】
以上のようにしてヒューズ引き抜き治具１１を支持壁２０に係止した状態からヒューズ引き抜き治具１１を取り出す場合には、操作部１８を指で押圧する。この押圧によって、支点１７を中心に挟持片１３，１３が離れる方向に弾性変形するため、図５のように係止爪１５，１５が係止爪把持部２４，２４への把持状態から離れる。これと同時に、リブ１６，１６の上端部がヘッド部２１の底部との当接状態から離れるため、ヒューズ引き抜き治具１１は支持壁２０との係止状態から解除される。従って、このままでヒューズ引き抜き治具１１を引き上げることによりホルダ孔２２から引き出すことができる。
【００５１】
このような実施形態では、係止爪１５，１５が弾性変形した反力によって支持壁２０の係止爪把持部２４，２４を把持した係止状態となる。従って、係止爪１５，１５は単に引掛かっただけの係止状態ではなく、係止爪把持部２４，２４を把持した係止状態となるため、ヒューズ引き抜き治具１１をがたつきなく係止することができる。このため、外力が作用してもヒューズ引き抜き治具１１が簡単に支持壁２０から外れることがなくなる。
【００５２】
又、係止爪１５，１５が係止爪把持部２４，２４を把持する係止状態では、支持壁２０のヘッド部２１がヒューズ引き抜き治具１１の連結片１４近辺に到達するため、把持による係止を手元部分で確実に感じ取ることができ、係止を感触で確認することができる。
【００５３】
さらに、リブ１６，１６がリブ嵌合溝部２５に嵌まり込んでリブ嵌合溝部２５を挟持するため、係止爪１５，１５が係止爪把持部２４，２４を把持する把持力に加えてリブ１６，１６の挟持力が作用してヒューズ引き抜き治具１１を固定している。このため、ヒューズ引き抜き治具１１をさらに安定して係止することができる。
【００５４】
又、さらに、この実施形態では、支持壁２０のヘッド２１がリブ１６，１６から抜け出ると同時に、係止爪１５，１５が係止爪把持部２４，２４を把持するため、係止爪１５，１５による係止爪把持部２４，２４への把持と、ヘッド部２１によるリブ１６，１６の押し広げからの解除とが同期して行われる。このリブ１６，１６の押し広げの解除によってヒューズ引き抜き治具１１の挟持片１３，１３が弾性的に復帰するため、係止の感触をクリック感のあるものとすることができ、係止をさらに確実に確認することができる。
【００５５】
図７及び図８は、本発明の別の実施形態を示し、上述した実施形態と同一の部分は同一の符号を付して対応させてある。
【００５６】
この実施形態のヒューズ引き抜き治具１１では、図７に示すように一対の挟持片１３，１３を連結する連結片１４が上方に湾曲する円弧状に形成されており、挟持片１３，１３が開閉する支点１７が連結片１４の下方に位置している。
【００５７】
又、リブ１６，１６の基部１６ａ、１６ａの対向面には、支持壁２０のヘッド部２１の矢尻形状に沿ったテーパ状のガイド面２６，２６が形成されている。
【００５８】
さらに、挟持片１３，１３上部の操作部１８外面には、複数の凸条２７が形成されており、操作部１８を操作する際の滑りが防止されている。又、操作部１８の下部には、凸条２７よりもさらに外側に突出するストッパ２８が形成されている。
【００５９】
さらに、リブ１６，１６の上端部分には、リブ１６，１６を厚さ方向に窪ませた係止段部２９，２９が形成されており、この係止段部２９，２９が支持壁２０のヘッド部２１の底部に当接するようになっている。
【００６０】
図８はこの実施形態のヒューズ引き抜き治具１１をヒューズブロック１２のホルダ孔２２に押し込んで挿入した状態を示す。ヒューズ引き抜き治具１１の押し込み当初においては、図８（ａ）で示すように、リブ１６，１６の基部１６ａ、１６ａに形成したガイド面２６，２６に沿って支持壁２０のヘッド部２１が案内されるため、ヘッド部２１が円滑にリブ１６，１６の間に侵入することができ、ぶつかり感のない押し込みを行うことができる。
【００６１】
図８（ｂ）は、ヒューズ引き込み治具１１を完全に押し込んだ状態であり、ストッパ２８がホルダ孔２２の周囲に当接することにより、押し込みが停止する。従って、必要以上にヒューズ引き抜き治具１１を押し込むことがなくなり、必要以上の押し込みによるヒューズ引き抜き治具１１の変形を防止することが可能となっている。
【００６２】
この完全な押し込みによって、リブ１６，１６の係止段部２９，２９が支持壁２０のヘッド部２１の底部に当接して係止するため、ヒューズ引き抜き治具１１が確実に抜け止めされる。このため、ヒューズ引き抜き治具１１が不用意に抜け出ることがなくなる。
【００６３】
【発明の効果】
以上説明したように、請求項１の発明によれば、係止爪が係止爪把持部を把持することにより、ヒューズ引き抜き治具がヒューズブロックに係止されるため、単なる引掛かりではない把持力に基づいたがたつきのない係止状態となり、外力などが作用してもヒューズ引き抜き治具が簡単に外れることがなくなる。又、この係止状態では、支持壁のヘッド部が連結片近辺に到達するため、係止の感触を手元で感じることができ、係止する際の感触を確認することができる。
【００６４】
請求項２の発明によれば、係止爪が係止爪把持部を両側から強固に把持することができ、安定した係止を行うことができる。
【００６５】
請求項３の発明によれば、係止爪が係止爪把持部を把持する把持力に加えてリブの挟持力によってもヒューズ引き抜き治具を支持壁に固定できるため、安定した係止を行うことができる。
【００６６】
請求項４の発明によれば、係止爪による係止爪把持部への把持と、ヘッド部によるリブの押し広げからの解除とが同期して行われるため、係止の感触をクリック感のあるものとすることができ、係止を確実に確認することができる。
【００６７】
請求項５の発明によれば、リブの上端部が支持壁のヘッド部の底部に係止するため、ヒューズ引き抜き治具が支持壁から外れることがなく、係止状態が安定する。
【００６８】
請求項６の発明によれば、係止爪把持部及びリブ嵌合溝部を一体的に形成でき、支持壁を簡単な構造とすることができると共に、支持壁に剛性を付与することができ、その変形を防止することができる。
【図面の簡単な説明】
【図１】本発明の一実施形態に用いるヒューズ引き抜き治具を示し、（ａ）は正面図、（ｂ）は側面図、（ｃ）は下部を破断した側面図である。
【図２】本発明の一実施形態に用いるヒューズブロックを示し、（ａ）は平面図、（ｂ）は側断面図、（ｃ）は下部を破断した平面図である。
【図３】一実施形態におけるヒューズ引き抜き治具をホルダ孔に押し込む前の状態を示す正面図である。
【図４】（ａ）は一実施形態におけるヒューズ引き抜き治具をホルダ孔に押し込んだ直後の状態を示す正面図、（ｂ）はそのＡ部拡大正面図である。
【図５】（ａ）は図４の状態からヒューズ引き抜き治具をホルダ孔にさらに押し込んだ状態を示す正面図、（ｂ）はそのＢ部拡大正面図である。
【図６】（ａ）はヒューズ引き抜き治具をホルダ孔に完全に押し込むことにより、係止状態となった状態を示す正面図、（ｂ）はそのＤ部拡大正面図、（ｃ）はそのＥ部拡大正面図である。
【図７】本発明の別の実施形態に用いるヒューズ引き抜き治具を示し、（ａ）はその正面図、（ｂ）は側面図、（ｃ）は（ａ）におけるＦ−Ｆ線断面図である。
【図８】（ａ）は本発明の別の実施形態におけるヒューズ引き抜き治具をホルダ孔に押し込んだ直後の正面図、（ｂ）は完全に押し込んで係止状態となったときの正面図である。
【図９】従来の係止構造におけるヒューズ引き抜き治具の係止状態を示す部分断面図である。
【図１０】従来の係止構造に用いるヒューズブロックの斜視図である。
【符号の説明】
１１  ヒューズ引き抜き治具
１２  ヒューズブロック
１３  挟持片
１４  連結片
１５  係止爪
１６  リブ
２０  支持壁
２１  ヘッド部
２２  ホルダ孔
２４  係止爪把持部
２５  リブ嵌合溝部
【図１】
0003798157.tif 000002
【図２】
0003798157.tif 000003
【図３】
0003798157.tif 000004
【図４】
0003798157.tif 000005
【図５】
0003798157.tif 000006
【図６】
0003798157.tif 000007
【図７】
0003798157.tif 000008
【図８】
0003798157.tif 000009
【図９】
0003798157.tif 000010
【図１０】
0003798157.tif 000011